(57)【要約】【課題】３線式ヒータ線２０を組み込んだ電気式床暖房パネルＡにおいて、電磁波の発生を抑制する。【解決手段】木質基材３０の裏面に電源線１１，１２とヒータ線２０とを組み込んだ電気式床暖房パネルＡにおいて、ヒータ線２０は、通電により発熱する第１と第２の２本の発熱線２１，２２と検知線２３との３線式ヒータを用いる。第１と第２の２本の発熱線２１，２２と電源線１１，１２とを接続する２本のリード線１５，１６を木質基材３０の裏面に形成した１条の凹溝３３内に互いに平行姿勢となるようにして格納して、リード線から電磁波が発生するのを抑制する。【選択図】図２
2010002141.tif 000002
【特許請求の範囲】
【請求項１】
木質基材の裏面に電源線とヒータ線とを組み込んだ電気式床暖房パネルであって、
前記ヒータ線は、第１と第２の２本の発熱線と１本の検知線とからなり、第１の発熱線と検知線との間には第１の溶断層が介在し、第１の発熱線と第２の発熱線との間には少なくとも第２の溶断層が介在し、第２の溶断層の材料の融点は第１の溶断層の材料の融点よりも高くされている３線式ヒータ線であり、
前記電源線と前記３線式ヒータ線は、第１の発熱線を第１のリード線を介して、また第２の発熱線を第２のリード線を介して接続しており、かつ前記第１と第２のリード線は木質基材の裏面に形成した１条の凹溝内に格納されていることを特徴とする電気式床暖房パネル。
【請求項２】
前記３線式ヒータ線の前記第２の発熱線と第２のリード線の間には、抵抗器付き温度ヒューズが介在しており、前記第２の発熱線は前記抵抗器付き温度ヒューズの温度ヒューズと接続しており、前記検知線は前記抵抗器付き温度ヒューズにおける前記温度ヒューズの電源接続側とは反対側に接続する抵抗器と接続しており、かつ、前記抵抗器は前記第１の溶断層が溶融することにより生じる前記第１の発熱線と前記検知線との短絡により前記検知線に流れる電流が流れることにより発熱し、前記抵抗器の発熱により前記温度ヒューズが溶断するようになっていることを特徴とする請求項１に記載の電気式床暖房パネル。
【請求項３】
木質基材の裏面に緩衝材層が貼着されていることを特徴とする請求項１または２に記載の電気式床暖房パネル。
【請求項４】
請求項１ないし３のいずれか１項に記載の電気式床暖房パネルの複数枚が並列接続した状態で床下地面に敷き詰められていることを特徴とする電気式床暖房フロア。
【発明の詳細な説明】
【技術分野】
【０００１】
本発明は、発熱源であるヒータ線を組み込んだ電気式床暖房パネルと、その複数枚が電気的に接続して床下地面に敷き詰られて形成される電気式床暖房フロアに関する。
【背景技術】
【０００２】
木質基材の裏面にヒータ線による発熱回路を組み込んだ電気式床暖房パネルの複数枚を電気的に接続しながら床下地面に敷き詰め、コントローラを介して電気式床暖房パネルに所要の電力を供給するようにした電気式床暖房フロアは知られている（特許文献１等参照）。コントローラには、加熱エリアの特定、通電の開始と停止、定常運転モードでの温度レベル設定、などの機能が備えられ、電気式床暖房フロアの安全性を確保している。
【０００３】
また、電気毛布や電気カーペットなどの面状採暖具に敷線するヒータ線として、第１と第２の２本の発熱線と１本の検知線とからなり、第１の発熱線と検知線との間には第１の溶断層が介在し、第１の発熱線と第２の発熱線との間には少なくとも第２の溶断層が介在し、第２の溶断層の材料の融点は第１の溶断層の材料の融点よりも高くされた、３線式ヒータ線が知られている（特許文献２参照）。
【０００４】
【特許文献１】特開２００６−３０８２０２号公報
【特許文献２】特開平１０−３３５０４６号公報
【発明の開示】
【発明が解決しようとする課題】
【０００５】
前記した３線式ヒータ線では、一本の３線式ヒータ線内で、実質的に平行に走る第１と第２の２本の発熱線を電流が往復で流れることから、磁界が相互に打ち消し合うようになり、通電時に３線式ヒータ線から電磁波が発生するのを抑制することができる。この３線式ヒータ線を、木質基材の裏面に電源線とヒータ線とを組み込んだ電気式床暖房パネルにおける前記ヒータ線として用いることにより、電気式床暖房パネルから電磁波が発生するのを大きく回避できることが期待できる。
【０００６】
しかし、電気式床暖房パネルを製造する場合、裏面に取り付けられている電源線、すなわち外部電源からの電力が供給される電源線と３線式ヒータ線とを２本のリード線で接続することが必要となるが、リード線を流れる電流によってリード線から電磁波が発生するのを回避することはできない。より完全な電磁波対策を施した電気式床暖房フロアが求められており、そのために、リード線から発生する電磁波に対する抑制手段を講じることが電気式床暖房パネルに対する１つの解決すべき課題となっている。
【０００７】
本発明は、上記の事情に鑑みてなされたものであり、木質基材の裏面に電源線とヒータ線とを組み込んだ電気式床暖房パネルにおいて、電源線とヒータ線とを接続するリード線から発生する電磁波を抑制することを課題とする。
【課題を解決するための手段】
【０００８】
上記課題を解決するための本発明による電気式床暖房パネルは、木質基材の裏面に電源線とヒータ線とを組み込んだ電気式床暖房パネルであって、前記ヒータ線は、第１と第２の２本の発熱線と１本の検知線とからなり、第１の発熱線と検知線との間には第１の溶断層が介在し、第１の発熱線と第２の発熱線との間には少なくとも第２の溶断層が介在し、第２の溶断層の材料の融点は第１の溶断層の材料の融点よりも高くされている３線式ヒータ線であり、前記電源線と前記３線式ヒータ線は、第１の発熱線を第１のリード線を介して、また第２の発熱線を第２のリード線を介して接続しており、かつ前記第１と第２のリード線は木質基材の裏面に形成した１条の凹溝内に格納されていることを特徴とする。格納の態様に特に限定はなく、第１と第２のリード線が水平方向に並列した姿勢で格納されていてもよく、垂直方向に並列した姿勢で格納されていてもよい。
【０００９】
本発明による電気式床暖房パネルは、ヒータ線として前記した３線式ヒータ線を用いており、ヒータ線からの電磁波の発生は抑制される。さらに、木質基材の裏面に配置した電源線と前記３線式ヒータ線とを接続する２本のリード線は、木質基材の裏面に形成した１条の凹溝内に格納されており、２本のリード線は、その凹溝内で上下にまたは左右に並んだ状態で実質的に平行に走る姿勢となる。第１のリード線と第２のリード線には電流が逆方向に流れることから、２本のリード線が凹溝内で実質的に平行に走る部分では、磁界が相互に打ち消し合うようになり、結果として、リード線から発生する電磁波が大きく抑制される。
【００１０】
さらに、第１と第２のリード線を１条の凹溝内に格納したことにより、電気式床暖房パネルにおける２本のリード線が占める領域を、それぞれバラバラに格納する場合と比較して、小さくすることができ、その分、有効ヒータゾーンを大きくすることが可能となり、電気式床暖房パネルの表面温度ムラも小さくなる。
【００１１】
さらに、前記の３線式ヒータ線は、第１と第２の２本の発熱線の一方端は電源側に接続し、他方端は互いに接続している構成であり、木質基材の裏面に３線式ヒータ線による発熱回路を組み込む作業は、発熱線を単に木質基材の裏面に形成した溝内に埋め込んでいけばよく、閉ループを作る必要がないので、電気式床暖房パネルへの発熱線の組み込み作業は簡素化され、ＮＣによる配線も可能となる。
【００１２】
本発明による電気式床暖房パネルの一態様において、前記３線式ヒータ線の前記第２の発熱線と第２のリード線の間には、抵抗器付き温度ヒューズが介在しており、前記第２の発熱線は前記抵抗器付き温度ヒューズの温度ヒューズと接続しており、前記検知線は前記抵抗器付き温度ヒューズにおける前記温度ヒューズの電源接続側とは反対側に接続する抵抗器と接続しており、かつ、前記抵抗器は前記第１の溶断層が溶融することにより生じる前記第１の発熱線と前記検知線との短絡により前記検知線に流れる電流が流れることにより発熱し、前記抵抗器の発熱により前記温度ヒューズが溶断するようになっている。
【００１３】
この態様の電気式床暖房パネルでは、通常の使用状態では、３線式ヒータ線の前記第２の発熱線側に接続している抵抗器付き温度ヒューズのヒューズには、発熱線の持つ抵抗値に応じた電流が流れており、前記ヒューズが溶断することなく、正常な運転が継続する。
【００１４】
製品寿命を超えた長期の使用等により、電気式床暖房パネルに組み込まれた３線式ヒータ線の発熱線に疲労断線等による部分断線等が生じた場合、スパーク等の発生によりその近傍に設定値以上の発熱が生じ、そのまま使用を継続すると発火に至る恐れがある。前記の形態の電気式床暖房パネルは、そのようなときに、発火に至るような危険が生じるのを確実に回避することができる。
【００１５】
すなわち、上記の電気式床暖房パネルでは、第１と第２の２本の発熱線と１本の検知線とからなる３線式ヒータ線を用いており、第１と第２の２本の発熱線のいずれかの箇所において断線が生じて設定以上の異常発熱が生じた場合、その発熱により、比較して融点の低い材料からなる第１の溶断層が溶融する。絶縁層として機能していた第１の溶断層が溶融することにより、第１の発熱線と検知線が短絡状態となる。この短絡により検知線には高い値の短絡電流が流れ、その電流が、電気式床暖房パネルに組み込まれた前記抵抗器付き温度ヒューズの抵抗器に流れることにより、抵抗器が発熱する。そして、この発熱により第２の発熱線に接続している抵抗器付き温度ヒューズの温度ヒューズが溶断する。このヒューズの溶断により、当該電気式床暖房パネルに対するコントローラからの電力の供給は完全に遮断されるので、それ以降は、断線箇所においてスパーク等が発生することはなく、燃焼に至るような事態となるのを確実に阻止される。すなわち、事故発生時に安全サイドに導かれる。
【００１６】
なお、本発明による電気式床暖房パネルでは、３線式ヒータ線のいずれの箇所で断線による異常発熱が生じても、検知線は必ず第１の発熱線側と短絡するので、検知線に流れる電流に起因して溶断するヒューズを１個のみ第２の発熱線側に接続すればすみ、また、ダイオードも不要となる。この点からも、有効ヒータゾーンが大きくなると共に、低コストで発熱回路を構成することが可能となる。
【００１７】
なお、本発明による電気式床暖房パネルの全体形状は任意であり、矩形状、長尺状の単位ピースが長手方向に位置をずらしながら雁木状に組み付けられた形状、などを例示できる。木質基材の裏面に緩衝材層が貼着されている形態であってもよく、この形態の電気式床暖房パネルは、直貼り式の床暖房パネルとして有効に用いることができる。
【００１８】
本発明は、また、上記したいずれかに記載の電気式床暖房パネルの複数枚が並列接続した状態で床下地面に敷き詰められていることを特徴とする電気式床暖房フロアをも開示する。
【発明の効果】
【００１９】
本願の発明によれば、通電時に電磁波がほとんど発生しない電気式床暖房パネルおよび電気式床暖房フロアが得られる。また、製品寿命を超えたときに起こる可能性のある、発熱線の断線に起因する燃焼等の不都合に対して、有効な安全設計を施した電気式床暖房パネルが得られる。
【発明を実施するための最良の形態】
【００２０】
以下、図面を参照しながら、本発明を実施の形態により説明する。図１は電気式床暖房フロアの全体を示す概略図、図２はそこで用いる電気式床暖房パネルの一例を説明する図、図３は電気式床暖房パネルに組み込まれる３線式ヒータ線を説明する図、図４は電気式床暖房パネルにおける発熱回路を説明する図、図５と図６は発熱回路に断線が発生したときの２つの態様を説明するための図である。
【００２１】
電気式床暖房フロアＦは、床下地Ｃの上に、図２に一例を示すような、木質基材３０の裏面に３線式ヒータ線２０による発熱回路を組み込んだ電気式床暖房パネルＡの複数枚を電気的に並列に接続して敷き詰めて構成され、各電気式床暖房パネルＡには、外部からの商用電力がコントローラＤを介して供給される。コントローラＤは、前記特許文献１に記載のような従来知られた電気式床暖房フロアで用いられているものであってよく、加熱エリアの特定、通電の開始と停止、定常運転モードでの温度レベル設定、などの機能が備えられる。なお、図１において、Ｂは電気式床暖房パネルＡの周囲に配置される周辺パネルであり、ヒータ線を備えない。
【００２２】
電気式床暖房パネルＡは、図２（ａ）に緩衝材層を除去した状態の背面図の一例に示すように、木質基材３０を有し、その裏面の幅方向ほぼ中央には、＋側である第１の電源線１１と−側である第２の電源線１２が組み込まれている。それぞれの電源線１１，１２の端部にはコネクタ１３，１４が取り付けられ、複数枚の電気式床暖房パネルＡは、コネクタ１３，１４同士が互いに接続することにより、電気的に接続される。さらに、木質基材３０の裏面のほぼ全域をカバーするようにして一筆書き状の配線溝３２が形成され、該配線溝３２の中に、図３に示す構成の３線式ヒータ２０が埋め込まれる。
【００２３】
埋め込まれた３線式ヒータ線２０の一方端側は、後に説明するように、抵抗器付き温度ヒューズ５０および第１と第２のリード線１５，１６を介して、前記第１と第２の電源線１１，１２と接続している。そして、図２（ｃ）に示すように、前記第１と第２のリード線１５，１６は、木質基材３０の裏面に形成した１条の凹溝３３内に、上下に重なるようにして格納されている。埋め込まれた３線式ヒータ線２０の他方端側は自由端となっていて、そこにサーモスタット５４が取り付けられている。
【００２４】
木質基材３０の裏面には、必須ではないが、図２（ｂ）に示すように、遮音溝３６が形成され、さらに、直貼り床材として用いることができるように、緩衝材層３７が貼り付けられている。この例において緩衝材層３７は、不織布層３８と樹脂発泡体層３９との２層構成とされている。
【００２５】
３線式ヒータ線２０について説明する。図３に示すように、３線式ヒータ線２０は、第１の発熱線２１と、第２の発熱線２２と、発熱線２１，２２と比較して切れ難くかつ電気抵抗の小さい線（例えばニッケル線）である検知線２３とからなる３線式ヒータであり、各線は、発熱線の異常発熱等で溶融する非導電性材料からなる被覆樹脂２４，２５，２６でそれぞれ被覆されている。図３（ｂ）に示すように３本の線は寄り合わされて一本の線となり、その全体が図３（ａ）に示すように耐熱ＰＶＣのような断熱性のある非導電性材料からなる被覆材２７により覆われている。
【００２６】
被覆樹脂２４，２５，２６は、ナイロン系樹脂あるいはポリアミド系樹脂のような熱可塑性樹脂である。ただし、第１の発熱線２１を被覆する第１の被覆樹脂２４と第２の発熱線２２を被覆する第２の被覆樹脂２５には、溶融温度の異なる樹脂が用いられており、この例で、第１の被覆樹脂２４の溶融温度は１８０℃、第２の被覆樹脂２５の溶融温度は２２０℃である。すなわち、第２の発熱線２２は第１の被覆樹脂２４の溶融温度よりも高い溶融温度を持つ第２の被覆樹脂２５で被覆されている。また、検知線２３を覆う被覆樹脂２６には、前記した比較して溶融温度の低い第１の被覆樹脂２４と同じ樹脂が用いられており、その溶融温度は１８０℃である。
【００２７】
これらの被覆樹脂２４，２５，２６は、通常の運転時ではそのままで存在しており、絶縁材として機能している。しかし、第１の発熱線２１または第２の発熱線２２に断線あるいは部分断線等が生じてスパーク等が発生して、溶融温度を超える異常加熱状態が部分的に発生したときには、溶融して絶縁機能を喪失する。
【００２８】
なお、３線式ヒータ線は図３に示す構成のものに限らず、前記特許文献１に記載されるように、第１の発熱線２１と第２の発熱線２２と検知線２３が、第１の被覆樹脂２４および第２の被覆樹脂２５を境界層として、同心状に巻き込んだ形状のものであってもよい。
【００２９】
本発明において、各電気式床暖房パネルＡにおける発熱回路は、図４に示すような構成を備える。図４において、２０は上記の３線式ヒータ線を示し、５０は抵抗器付き温度ヒューズを示す。図示のように、第１の発熱線２１の一方端は第１のリード線１５を介して一方の電源線１１に直接接続しており、第２の発熱線２２の一方端は前記抵抗器付き温度ヒューズ５０の温度ヒューズ５１を介して、さらに第２のリード線１６を介して、他方の電源線１２に接続している。また、前記検知線２３一方端は抵抗器付き温度ヒューズ５０における前記温度ヒューズ５１の電源接続側（第２のリード線１６に接続する側）とは反対側に接続する抵抗器５３に接続している。そして、前記第１と第２の発熱線２１，２２の他方端はサーモスタット５４を介して互いに直列に接続している。また、前記抵抗器付き温度ヒューズ５０は、検知線２３に流れる電流が前記した温度ヒューズ５０の電源接続側とは反対側に接続する抵抗器５３に流れて、抵抗器５３が発熱するときに、その熱によってヒューズ５１は溶断するように設計されており、この例で、抵抗器５３の抵抗は１５００〜１６００Ωであり、また、ヒューズ５１は９９℃で溶断するようにされている。
【００３０】
上記の発熱回路において、商用電源からコントローラＤを介して前記電源線１１，１２に電力が供給され、その電流が３線式ヒータ線２０の第１の発熱線２１と第２の発熱線２２を流れることにより、３線式ヒータ線２０は発熱する。その際に、３線式ヒータ線２０では、実質的に平行に走る第１と第２の２本の発熱線２１，２２を電流が往復で流れることから、各発熱線２１，２２で発生する磁界は相互に打ち消し合うようになり、通電時に３線式ヒータ線２０から電磁波が発生するのは抑制される。
【００３１】
さらに、木質基材３０の裏面に配置した電源線１１，１２と前記３線式ヒータ線２０とを接続する２本のリード線１５，１６は、図２（ｃ）に示すように、木質基材３０の裏面に形成した１条の凹溝３３内に、上下に並列した姿勢で格納されており、それによって、２本のリード線１５，１６は実質的に平行に走る姿勢となる。第１のリード線１５と第２のリード線１６に電流が流れるときに磁界が発生するが、第１のリード線１５と第２のリード線１６には電流は逆方向に流れ、かつ２本のリード線１５，１６は前記のように、凹溝３３内で実質的に平行に走っているので、発生した磁界が相互に打ち消し合うようになり、結果として、リード線１５，１６から発生する電磁波も大きく抑制される。
【００３２】
そのために、通電時に電気式床暖房パネルＡから発生する電磁波はほぼ０となり、電気式床暖房フロアＦの電磁波対策は、完全なものとなる。さらに、２本のリード線１５，１６は１条の凹溝３３内に格納されており、電気式床暖房パネルＡにおける２本のリード線１５，１６が占める領域は、それぞれをバラバラに格納する場合と比較して小さい。その分、有効ヒータゾーンを大きくすることが可能となり、電気式床暖房パネルＡの表面温度ムラも小さくすることができる。
【００３３】
なお、特に図示しないが、２本のリード線１５，１６は木質基材３０の裏面に形成した１条の凹溝３３内に実質的に平行に走る姿勢で格納されていればよく、上下方向に限らす、水平方向あるいは斜め方向に並列するようにして格納させても、同じ効果が得られる。
【００３４】
また、上記の発熱回路において、電気式床暖房フロアＡが正常に運転している環境では、前記したように、供給される電力は、第１の発熱線２１と第２の発熱線２２とを循環するように流れ、その発熱により床暖房が行われる。正常運転での温度制御等は前記したコントローラＤにより行われる。正常運転時に検知線２３には電流は流れず、またヒューズ５１を流れる電流は、発熱線２１，２２の抵抗値に依存する小さな値であり、ヒューズ５１が溶断することはない。
【００３５】
製品寿命を超えてもなお継続使用していると、使用者が知らないうちに第１の発熱線２１と第２の発熱線２２のいずれかに部分断線が生じ、接触抵抗が異常に増加してスパーク等による異常加熱が生じる場合がある。図５は、そのような断線が第１の発熱線２１において起こった場合の状態を説明している。第１の発熱線２１のいずれかの箇所Ｐでスパーク等による異常加熱が生じたときに、その箇所の第１の被覆樹脂２４は溶融し、そこに近接する検知線２３を被覆する被覆樹脂２６も溶融する。
【００３６】
双方の被覆樹脂が溶融することにより、図５に領域Ｑで示すように、第１の発熱線２１と検知線２３とが短絡した状態となり、電流は、その短絡箇所から検知線２３側に流れる。検知線２３に電流が流れることにより、前記のように抵抗器５３は発熱し、その熱によってヒューズ５１は溶断する。ヒューズ５１が溶断することよりコントローラＤから発熱回路への電力供給は完全に遮断されるので、断線箇所Ｐでのそれ以上の発熱やスパークは起こらない。それにより、電気式床暖房パネルＡの裏面に積層した不織布層３８や樹脂発泡体層３９からなる緩衝材層３７が着火するという事態は確実に回避される。
【００３７】
図６は、断線が第２の発熱線２２において起こった場合の状態を説明している。第２の発熱線２２のいずれかの箇所でスパーク等による異常加熱が生じたときに、その箇所の第２の被覆樹脂２５が昇温する。第２の被覆樹脂２５の溶融温度は、第１の発熱線２１および検知線２３を被覆している第１の被覆樹脂２４，２６の溶融温度よりも高く設定してあるので、第２の被覆樹脂２５が溶融する前に、第１の発熱線２１および検知線２３を被覆している第１の被覆樹脂２４，２６が溶融する。それにより、図５において説明したと同様に、領域Ｑにおいて、第１の発熱線２１と検知線２３とが短絡した状態となる。それにより、検知線２３に電流が流れ、抵抗器５３が発熱して、ヒューズ５１は溶断する。
【００３８】
上記のように、本発明による電気式床暖房パネルＡおよび電気式床暖房フロアＦでは、断線等により異常事態が生じたときに、常に安全サイドに導かれるようになり、そのことからも、電気式床暖房の安全性が一層向上する。
【００３９】
なお、電気式床暖房パネルＡにおいて、抵抗器付き温度ヒューズ５０を省略することもできる。その場合には、第２の発熱線２２の一方端は、直線第２のリード線１６を介して電源線１２に接続される。その形態の電気式床暖房パネルにおいても、電磁波の発生を抑制できるという、作用効果は上記した電気式床暖房パネルＡの場合と同様である。ただし、この形態の電気式床暖房パネルを用いて、断線等により異常事態が生じたときに常に安全サイドに導かれる電気式床暖房フロアを構築する場合には、例えば、コントローラＤの中に前記した抵抗器付き温度ヒューズ５０を組み込むなどの手段を講じる必要がある。
【００４０】
図７は、その場合の電気式床暖房フロアＦの一例を説明する回路図であり、ここでは、コントローラＤとして、従来知られた暖房用コントローラに組み込まれた従来公知の制御装置ＣＵに加えて、前記した抵抗器付き温度ヒューズ５０を備えている。この抵抗器付き温度ヒューズ５０は、電気式床暖房パネルＡに埋め込んだ３線式ヒータ線２０の前記第２のヒータ線２２側にケーブル線３ａを介して接続する温度ヒューズ５１と、前記検知線２３側にケーブル線３ｃを介して接続する第３のケーブル５２線を備え、該第３のケーブル線５２は前記温度ヒューズ５１に近接して設けられる抵抗器５３を介して、前記温度ヒューズ５１の第２のヒータ線２２側に接続している。
【００４１】
図７に示す例では、電気式床暖房フロアＦは３枚の電気式床暖房パネルＡからなる１組の電気式床暖房パネル群ＡＧによって暖房面が形成されるが、図７に仮想線で示すように、さらに多くの電気式床暖房パネル群ＡＧを並列接続してもよい。
【００４２】
上記の電気式床暖房フロアＦにおいて、各電気式床暖房パネルＡが正常に運転している環境では、コントローラＤから供給される電力は、すべての電気式床暖房パネルＡに組み込んだ３線式コード状ヒータ２０の第１のヒータ線２１と第２のヒータ線２２とを循環するように流れ、その発熱により床暖房が行われる。正常運転での温度制御等は前記したコントローラＤの制御装置ＣＵにより行われる。いずれかの電気式床暖房パネルＡにおいて、検知線２３に高電流が流れる事態が発生したとき、その電流は、コントローラＤ内に組み込んだ抵抗器付き温度ヒューズ５０内の抵抗器５３を加熱させ、温度ヒューズ５１を溶断する。それにより、すべての電気式床暖房パネルＡへの電力の供給は遮断され、床暖房フロアＦは安全サイドに導かれる。
【図面の簡単な説明】
【００４３】
【図１】電気式床暖房フロアの全体を示す概略図。
【図２】本発明に係る電気式床暖房パネルの一例を説明する図。
【図３】電気式床暖房パネルに組み込まれる３線式ヒータ線を説明する図。
【図４】電気式床暖房パネルにおける発熱回路を説明する図
【図５】発熱回路に異常発熱が生じたときの第１の態様を説明する図。
【図６】発熱回路に異常発熱が生じたときの第２の態様を説明する図。
【図７】電気式床暖房フロアの他の態様を説明する回路図。
【符号の説明】
【００４４】
Ａ…電気式床暖房パネル、Ｂ…周辺パネル、Ｃ…床下地、Ｄ…コントローラ、Ｆ…電気式床暖房フロア、１１、１２…電気式床暖房パネルに取り付けられる電源線、１３，１４…コネクタ、１５…第１のリード線、１６…第２のリード線、２０…３線式ヒータ線、２１…第１の発熱線、２２…第２の発熱線、２３…検知線、２７…被覆材、２４、２６…第１の被覆樹脂、２５…第２の被覆樹脂、３０…木質基材、３３…木質基材の裏面に形成したリード線を格納するための凹溝、３６…遮音溝、３７…緩衝材層、５０…抵抗器付き温度ヒューズ、５１…温度ヒューズ、５３…抵抗器、５４…サーモスタット
【図１】
2010002141.tif 000003
【図２】
2010002141.tif 000004
【図３】
2010002141.tif 000005
【図４】
2010002141.tif 000006
【図５】
2010002141.tif 000007
【図６】
2010002141.tif 000008
【図７】
2010002141.tif 000009